(57)【要約】【課題】本体内蔵マイクロホンと外部マイクロホン端子の両方を備えている音声記録装置の外部マイクロホン端子に外部マイクロホンを接続して撮影する際、外部マイクロホンの電池入れ忘れ、電池切れ、電源スイッチ入れ忘れによる収録失敗を防止する。【解決手段】外部マイクロホンが電池入れ忘れ、電池切れ、電源スイッチ入れ忘れ状態になっている場合には、外部マイクロホン側から、音声記録装置内に備えられている外部マイクロホン接続ステータス判定手段１０に対して、外部マイクロホンが未接続であるというステータスを示すＲｃｈ接点３のＤＣ電位ＶＲ及び  Ｌｃｈ接点２のＤＣ電位ＶＬを返す。つまり実際には外部マイクロホンは外部マイクロホンジャック１に接続されているが、音声記録装置には、外部マイクロホンは接続されていないと認識させる。【選択図】図１
2008182455.tif 000002
【特許請求の範囲】
【請求項１】
外部マイクロホンのプラグ接続用ジャックの一方のチャンネル接点及び他方のチャンネル接点の電位に基づいて、内蔵マイクロホン又は外部マイクロホンの音声出力の切り替え及び前記音声出力に対するステレオ又はモノラル音声信号処理を切り替える切り替え判定手段を有する音声信号処理装置に接続されるマイクロホン装置であって、
外部マイクロホンの一方のチャンネル及び他方のチャンネルの音声出力をプラグから出力、又は一方のチャンネル又は他方のチャンネルの音声出力を予め定められた電位に切り替えてプラグから出力することにより、前記切り替え判定手段を特定の切り替え状態にするように制御する切り替え制御手段を
備えたことを特徴とするマイクロホン装置。
【請求項２】
請求項１記載のマイクロホン装置において、
前記切り替え制御手段は、前記外部マイクロホンのＬチャンネルの音声出力をグランドレベル電位に切り替えることにより、前記切り替え判定手段を内蔵マイクロホンの音声出力の切り替え及び前記音声出力に対するステレオ音声信号処理の切り替え状態にするように制御する
ことを特徴とするマイクロホン装置。
【請求項３】
請求項２記載のマイクロホン装置において、
前記切り替え制御手段は、前記外部マイクロホンの電源スイッチのオフ状態切り替え検出に対応して、前記外部マイクロホンのＬチャンネルの音声出力をグランドレベル電位に切り替えることにより、前記切り替え判定手段を内蔵マイクロホンの音声出力の切り替え及び前記音声出力に対するステレオ音声信号処理の切り替え状態にするように制御する
ことを特徴とするマイクロホン装置。
【請求項４】
請求項２記載のマイクロホン装置において、
前記切り替え制御手段は、前記外部マイクロホンの電池の未装着状態検出に対応して、前記外部マイクロホンのＬチャンネルの音声出力をグランドレベル電位に切り替えることにより、前記切り替え判定手段を内蔵マイクロホンの音声出力の切り替え及び前記音声出力に対するステレオ音声信号処理の切り替え状態にするように制御する
ことを特徴とするマイクロホン装置。
【請求項５】
請求項２記載のマイクロホン装置において、
前記切り替え制御手段は、前記外部マイクロホンの電池電圧の一定値以下検出に対応して、前記外部マイクロホンのＬチャンネルの音声出力をグランドレベル電位に切り替えることにより、前記切り替え判定手段を内蔵マイクロホンの音声出力の切り替え及び前記音声出力に対するステレオ音声信号処理の切り替え状態にするように制御する
ことを特徴とするマイクロホン装置。
【請求項６】
外部マイクロホンの一方のチャンネル及び他方のチャンネルの音声出力をプラグから出力、又は一方のチャンネル又は他方のチャンネルの音声出力を予め定められた電位に切り替えてプラグから出力するステップと、
前記外部マイクロホンのプラグ接続用ジャックの一方のチャンネル接点及び他方のチャンネル接点の電位を検出するステップと、
前記検出された電位に基づいて、内蔵マイクロホン又は外部マイクロホンの音声出力の切り替え及び前記音声出力に対するステレオ又はモノラル音声信号処理の切り替えを、特定の切り替え状態にするように制御するステップと
を含むことを特徴とする音声入力切替方法。
【発明の詳細な説明】
【技術分野】
【０００１】
本発明は、汎用プラグを出力端子に持つマイクロホン装置、例えばＪＥＩＴＡ（電子情報技術産業協会）ＲＣ６７０１Ａ規格に準拠したφ３．５ｍｍステレオミニプラグを出力端子に持つマイクロホン装置に関するものである。
【背景技術】
【０００２】
従来より、主に家庭用ビデオカメラや家庭用ポータブル録音機などで、本体内蔵マイクロホンと外部マイクロホン端子の両方を備えている音声記録装置が一般に広く存在する。これらの音声記録装置は、外部マイクロホンが接続されている時は外部マイクロホンからの音声が入力され、接続されていないときは本体内蔵マイクロホンからの音声が入力されるような仕様になっているものが大多数である。
【０００３】
このような仕様を実現するには、音声記録装置の外部マイクロホン端子に外部マイクロホンが接続されているか否かを音声記録装置側で判別する必要がある。その方法は従来より数多くあるが、広く市場や一般家庭に流通している民生用機器の適用例の１つの方式を説明する。
【０００４】
例えば、第１及び第２のホット側接点を有する入力ジャックと、第１及び第２のホット側接点の直流レベルを判別する判別回路と、この判別回路の判別出力により、記録モードがステレオモードとモノラルモードとに切り替えられる音声記録回路とを有する音声記録装置が提案されている（特許文献１参照）。
【０００５】
すなわち、この音声記録装置では、第１及び第２のホット側接点の直流レベルが等しいときには、判別出力により、音声記録回路の記録モードがステレオモードとされ、第１及び第２のホット側接点の直流レベルが等しくないときには、判別出力により、音声記録回路の記録モードがモノラルモードとされる。
【０００６】
また、このほかに、収音音声を電気信号に変換して音声信号として増幅出力する動作を行なう音響−電気変換増幅手段と、音響−電気変換増幅手段によって得られた音声信号を外部音響機器に出力する外部接続手段とを備えたマイクロホン装置が提案されている（特許文献２参照）。
【０００７】
このマイクロホン装置は、さらに、電源手段と、電源手段から音響−電気変換増幅手段に電源供給を行なう電源ラインを、操作に応じて断接する電源スイッチ手段と、電源ライン上に電源スイッチ手段と並列に接続され、電源手段から音響−電気変換増幅手段に電源供給を行なう電源ラインを断接することができるスイッチング素子と、外部接続手段に供給される外部音響機器の電源電圧に基づいて、スイッチング素子をオン／オフするスイッチ制御手段とを備えている。
【０００８】
また、音信号入出力兼用端子からの第１の音信号を入力する第１の音信号入力工程と、第２の音信号を入力する第２の音信号入力工程と、第３の音信号を入力する第３の音信号入力工程とを有する音信号入出力切り換え方法が提案されている（特許文献３参照）。
【０００９】
この音信号入出力切り換え方法は、さらに、第１の音信号入力工程の音信号入出力切り換えを音入出力兼用端子の接続状況及び第２及び第３の音信号入力工程の接続状況により自動的に切り換える切り換え工程を有している。
【００１０】
また、外部マイク入力端子と備え付けマイクを備え、外部マイクが接続された場合外部マイクからの音声信号が選択的に入力される構成において、外部マイクが接続されたことを検出する外部マイク接続検出手段と、外部マイクからの入力信号を検出する外部マイク入力信号検出手段とを備えるビデオカメラ装置が提案されている（特許文献４参照）。
【００１１】
この、ビデオカメラ装置は、さらに、その検出結果をある時間周期で確認し外部マイクが正常に接続されていないことを検出する外部マイク異常接続検出手段を持ち、この情報から外部マイク接続入力切り換えを強制的に内蔵マイク入力に切り換える強制内蔵マイク切り換え手段とを備えている。
【特許文献１】特開平３−２９５０７０号公報
【特許文献２】特開平６−２３３３７５号公報
【特許文献３】特開２０００−３２４３７３号公報
【特許文献４】特開２００６−１０９１３６号公報
【発明の開示】
【発明が解決しようとする課題】
【００１２】
しかし、上述した特許文献１に記載の技術では、外部マイクロホンが接続されると判別回路の判別出力により、本体内蔵マイクロホンは無効になる。しかも、音声記録装置に接続した外部マイクロホンが、電池入れ忘れ、電池切れ、電源スイッチ入れ忘れの状態になっているときには、外部マイクロホンの信号も入力されないので、音声が何も記録されないという事態が生じるという不都合が発生する。
【００１３】
また、特許文献２に記載の技術は、マイクロホン装置が接続された外部音響機器の電源状態に同期してマイクロホン装置の電源が自動的にオン又はオフに切り替わるものである。このため、外部マイクロホンが、電池入れ忘れ、電池切れの状態になっているときには、マイクロホンの信号が入力されないので、音声が何も記録されないという事態が生じるという不都合が発生する。
【００１４】
また、特許文献３に記載の技術は、ライン（第１の音信号）入出力端子、内蔵マイクロホン（第２の音信号）及び外部マイクロホン（第３の音信号）入力端子からの３系統からアフレコを行う際に、ライン入出力端子の音信号入出力切り換えをライン入出力端子並びに内蔵マイクロホン及び外部マイクロホン入力端子の接続状況により自動的に切り換えるものである。
【００１５】
このため、外部マイクロホンが接続されると、本体内蔵マイクロホンは無効になる。しかも、音声記録装置に接続した外部マイクロホンが、電池入れ忘れ、電池切れ、電源スイッチ入れ忘れの状態になっているときには、外部マイクロホンの信号も入力されないので、音声が何も記録されないという事態が生じるという不都合が発生する。
【００１６】
また、特許文献４に記載の技術は、接続された外部マイクロホンからの信号を検出し、その検出結果から外部マイクロホンからの入力信号レベルが内蔵マイクロホンと比べて著しく下がっていると判断されたときに、強制的に内蔵マイクロホンに切り替えるものである。このため、外部マイクロホンが接続されると、一旦本体内蔵マイクロホンは無効になる。
【００１７】
その後に、音声記録装置に接続した外部マイクロホンが、電池入れ忘れ、電池切れ、電源スイッチ入れ忘れの状態になっているときには、内蔵マイクロホンに切り替える。従って、音声記録装置で新たに外部マイクロホン及び内蔵マイクロホンからの入力信号レベルの判別を行う必要があるため、外部マイクロホンを汎用の音声記録装置に接続しただけでは自動切換えができないという不都合が発生する。
【００１８】
そこで、本発明は、音声記録装置に接続した外部マイクロホンが、電池入れ忘れ、電池切れ、電源スイッチ入れ忘れの状態になっているときでも、内蔵マイクロホンにより音声信号の記録をすることができるマイクロホン装置を提供することを目的とするものである。
【課題を解決するための手段】
【００１９】
上記目的を達成するために、本発明のマイクロホン装置は、外部マイクロホンのプラグ接続用ジャックの一方のチャンネル接点及び他方のチャンネル接点の電位に基づいて、内蔵マイクロホン又は外部マイクロホンの音声出力の切り替え及び前記音声出力に対するステレオ又はモノラル音声信号処理を切り替える切り替え判定手段を有する音声信号処理装置に接続されるマイクロホン装置に適用されるものである。
【００２０】
すなわち、マイクロホン装置は、この外部マイクロホンの一方のチャンネル及び他方のチャンネルの音声出力をプラグから出力、又は一方のチャンネル又は他方のチャンネルの音声出力を予め定められた電位に切り替えてプラグから出力することにより、前記切り替え判定手段を特定の切り替え状態にするように制御する切り替え制御手段を備えるものである。
【００２１】
また、本発明の音声入力切替方法は、外部マイクロホンの一方のチャンネル及び他方のチャンネルの音声出力をプラグから出力、又は一方のチャンネル又は他方のチャンネルの音声出力を予め定められた電位に切り替えてプラグから出力するステップを含むものである。
【００２２】
この音声入力切替方法は、さらに、前記外部マイクロホンのプラグ接続用ジャックの一方のチャンネル接点及び他方のチャンネル接点の電位を検出するステップと、前記検出された電位に基づいて、内蔵マイクロホン又は外部マイクロホンの音声出力の切り替え及び前記音声出力に対するステレオ又はモノラル音声信号処理の切り替えを、特定の切り替え状態にするように制御するステップとを含むものである。
【００２３】
マイクロホン装置は音声出力を予め定められた電位に切り替えてプラグから出力する。これにより、切り替え制御手段は切り替え判定手段を特定の切り替え状態にするように制御する。ここで、外部マイクロホンは機械的には音声信号処理装置に接続されていても、電気的には接続されていないとマイクロホン装置は切り替え判定手段に判断させる。
【００２４】
すなわち、外部マイクロホンが電池入れ忘れ、電池切れ、電源スイッチ入れ忘れ状態になっている場合には、外部マイクロホンから、音声信号処理装置内に備えられている切り替え判定手段に対して、外部マイクロホンが未接続であるという予め定められた電位の音声出力を返す。
【００２５】
つまり、実際には外部マイクロホンは接続されているが、音声信号処理装置には外部マイクロホンが接続されていないと認識させる。すると、音声信号処理装置を含む概念の音声記録装置では、内蔵マイクロホンからの音声入力を有効として記録するため、音声が何も記録されないという最悪の事態を回避することができる。
【発明の効果】
【００２６】
本発明によれば、音声出力を予め定められた電位に切り替えてマイクロホン装置から出力することにより、切り替え制御手段が切り替え判定手段を特定の切り替え状態にするように制御する。従って、音声記録装置に接続した外部マイクロホンが、電池入れ忘れ、電池切れ、電源スイッチ入れ忘れの状態になっているときでも、内蔵マイクロホンにより音声信号の記録をすることができるという効果を奏する。
【００２７】
本発明により、音声記録装置に接続した外部マイクロホンを使用する場合に外部マイクロホンの「電源スイッチ入れ忘れ」、「電池入れ忘れ」、「電池切れ」があった場合でも、自動的に本体内蔵マイクロホンの音声が記録されることにより、何も音声が記録されないという最悪の事態を回避することができる。
また、前述した切り替え判定手段を備えている音声記録装置は、特に家庭用ビデオカメラを中心にして極めて幅広く多数あるため、本発明の適用範囲は広いものとなる。
【発明を実施するための最良の形態】
【００２８】
以下、本発明の一実施の形態を、図１〜９を参照して説明する。
本実施の形態例は、一般に広く普及しているＪＥＩＴＡ  ＲＣ６７０１Ａ規格に準拠したφ３．５ｍｍピンプラグをもつマイクロホンを接続可能な外部マイクロホン端子を備えている音声記録装置に接続されるマイクロホン装置に関するものである。しかも、この音声記録装置は、外部マイクロホン端子に接続されたピンプラグが２極モノラル端子であるか３極ステレオ端子であるかの違いも含めて判別するものである。
【００２９】
まず、本実施の形態例のマイクロホン装置について説明する前に、前提となる音声記録装置及びマイクロホン装置について説明する。ここで、音声記録装置は音声信号処理装置を含む概念である。
【００３０】
図１に、本実施の形態例のマイクロホン装置に適用される音声記録装置の構成例を示す。この音声記録装置は、前述した切り替え判定手段を備えているものである。
図１において、この音声記録装置には、外部マイクロホン用ジャックとしてφ３．５ｍｍステレオピンジャック１が装備されており、Ｌｃｈ接点２の内部にブレイク接点スイッチ４が付いている。
【００３１】
外部マイクロホンのプラグが挿入されていないときはＬｃｈ接点２はブレイク接点スイッチ４によって機械的にＧＮＤレベル電位に接地されており、外部マイクロホンのプラグが挿入されるとＬｃｈ接点２とブレイク接点スイッチ４が機械的に分離するように構成されている。
【００３２】
６はプラグインパワー用直流電圧ＶｏをＬｃｈ接点２及びＲｃｈ接点３のそれぞれに印加する回路で、プルアップ抵抗器８の抵抗値は数ｋΩである。プラグインパワー用電圧印加回路６は、Ｌｃｈ接点２とＲｃｈ接点３のそれぞれに、プラグインパワー用電圧Ｖｏとして２．０〜２．５Ｖ程度の直流電圧を印加している。
【００３３】
プラグインパワー用電圧Ｖｏとは、プラグインパワー対応外部マイクロホンに対して、音声記録装置側から供給するマイクロホン動作電圧のことである。また、この直流電圧値を以後Ｖｏと記述する。
【００３４】
１１は音声記録装置本体に内蔵もしくは常時付属した本体内蔵マイクロホンで、１２は、可動接点Ｃ１、Ｃ２を外部マイクロホンジャック１からの入力音声信号を出力可能な状態にする（固定接点Ａ１、Ａ２側に切換える）か本体内蔵マイクロホン１１からの入力音声信号を出力可能な状態にする（固定接点Ｂ１、Ｂ２側に切換える）かのどちらか一方を選択するスイッチである。９は外部マイクロホンジャック１からの入力音声信号の直流分のノイズをカットして入力音声信号のみを取り出すコンデンサである。
【００３５】
１０は外部マイクロホンジャック１へ外部マイクロホンが接続されたことを判定する外部マイクロホン接続ステータス判定手段である。外部マイクロホン接続ステータス判定手段１０は、Ｌｃｈ接点２のＤＣ電位ＶＲと、Ｒｃｈ接点３のＤＣ電位ＶＬを、適切な閾値を境にしてハイレベル（Ｈｉｇｈ）とローレベル（Ｌｏｗ）に判別する。
【００３６】
外部マイクロホン接続ステータス判定手段１０は、その判別結果を図２の真理値表に照らして、外部マイクロホンが接続されているか否かを判定する。また、外部マイクロホン接続ステータス判定手段１０は、外部マイクロホンが接続されている場合、それがステレオマイクロホンかモノラルマイクロホンかを判定する。
【００３７】
図２は、外部マイクロホン接続ステータス判定手段１０による外部マイクロホン接続ステータス判定を示す真理値表である。
図２において、まず、２１の場合、Ｌｃｈ接点２のＤＣ電位２５がローレベル（Ｌｏｗ）、Ｒｃｈ接点３のＤＣ電位２６がローレベル（Ｌｏｗ）のとき、外部マイクロホン接続ステータス判定手段１０は判定結果２７としてステレオ外部マイクロホンが接続されたと判定する。
【００３８】
次に、２２の場合、Ｌｃｈ接点２のＤＣ電位２５がローレベル（Ｌｏｗ）、Ｒｃｈ接点３のＤＣ電位２６がハイレベル（Ｈｉｇｈ）のとき、外部マイクロホン接続ステータス判定手段１０は判定結果２７として外部マイクロホンのプラグ未接続のため本体内蔵マイクロホン１１を用いるものと判定する。
【００３９】
また、２３の場合、Ｌｃｈ接点２のＤＣ電位２５がハイレベル（Ｈｉｇｈ）、Ｒｃｈ接点３のＤＣ電位２６がローレベル（Ｌｏｗ）のとき、外部マイクロホン接続ステータス判定手段１０は判定結果２７としてモノラル外部マイクロホンが接続されたと判定する。
【００４０】
次に、２４の場合、Ｌｃｈ接点２のＤＣ電位２５がハイレベル（Ｈｉｇｈ）、Ｒｃｈ接点３のＤＣ電位２６がハイレベル（Ｈｉｇｈ）のとき、外部マイクロホン接続ステータス判定手段１０は判定結果２７としてステレオ外部マイクロホンが接続されたと判定する。
【００４１】
そして、外部マイクロホンがステレオマイクロホンの場合、接続ステータス判定手段１０は、外部マイクロホン用の切替信号ＩＯを内蔵マイクロホン／外部マイクロホン選択スイッチ１２に供給すると共に、ステレオ音声信号用の切替信号ＳＭを音声信号処理回路１４に供給する。
【００４２】
音声信号処理回路１４は、外部マイクロホンからの入力音声信号に対してステレオ音声信号用の音声信号処理を施して、図示しない後段の音声信号記録回路に出力する。この音声信号記録回路は、図示しない記録媒体に音声信号を記録することになる。
【００４３】
また、外部マイクロホンがモノラルマイクロホンの場合、接続ステータス判定手段１０は、外部マイクロホン用の切替信号ＩＯを内蔵マイクロホン／外部マイクロホン選択スイッチ１２に供給すると共に、モノラル音声信号用の切替信号ＳＭを音声信号処理回路１４に供給する。
【００４４】
音声信号処理回路１４は、外部マイクロホンからの入力音声信号に対してモノラル音声信号用の音声信号処理を施して、図示しない後段の音声信号記録回路に出力する。音声信号記録回路の処理は上述した外部マイクロホンがステレオマイクロホンの場合と同様である。
【００４５】
さらに、外部マイクロホンのプラグが未接続のため内蔵マイクロホンによる場合、接続ステータス判定手段１０は、内蔵マイクロホン用の切替信号ＩＯを内蔵マイクロホン／外部マイクロホン選択スイッチ１２に供給すると共に、ステレオ音声信号用の切替信号ＳＭを音声信号処理回路１４に供給する。
音声信号処理回路１４及び音声信号記録回路の処理は上述した外部マイクロホンがステレオマイクロホンの場合と同様である。
【００４６】
図３〜図５に、図１に示した音声記録装置の外部マイクロホンジャック１に接続して使用されるマイクロホンの概略を説明する。図３〜図５に示すマイクロホンは、後述する図６〜図９に示す本実施の形態のマイクロホンの前提となるものである。
【００４７】
図３に、図１に示した音声記録装置の外部マイクロホンジャック１に接続して使用可能なφ３．５ｍｍモノラルピンプラグを持つモノラルマイクロホンの概略回路図とプラグの外観図を示す。
【００４８】
図３において、３１は音圧を静電容量の変化として取り出すエレクトレットコンデンサ、３２は容量変化を電圧変化として取り出すためのＦＥＴ（Field effect transistor）、３３はＦＥＴ３２の動作電圧である。
【００４９】
３４はＦＥＴ３２の出力電圧を一時的に保持するバッファ、３５はＤＣ成分をカットして音声信号成分のみを伝えるカップリングコンデンサである。３６はφ３．５ｍｍ２極モノラルピンプラグ、３７はエレクトレットコンデンサ３１で集音したモノラル信号が出力される信号接点、３８はアース（ＧＮＤ）接点である。
【００５０】
図４に、図１に示した音声記録装置の外部マイクロホンジャック１に接続して使用可能なφ３．５ｍｍステレオピンプラグを持つステレオマイクロホンの概略回路図とプラグの外観図を示す。
【００５１】
図４において、４１Ｌ、４１ＲはそれぞれＬｃｈ信号集音用、Ｒｃｈ信号集音用の音圧を静電容量の変化として取り出すエレクトレットコンデンサである。４２Ｌ，４２Ｒは容量変化を電圧変化として取り出すためのＦＥＴ、４３Ｌ，４３ＲはＦＥＴ４２Ｌ，４２Ｒの動作電圧である。
【００５２】
４４Ｌ，４４ＲはＦＥＴ４２Ｌ，４２Ｒの出力電圧を一時的に保持するバッファ、４５Ｌ，４５ＲはＤＣ成分をカットして音声信号成分のみを伝えるカップリングコンデンサである。４６はφ３．５ｍｍ２極ステレオピンプラグである。４７は４１Ｌで集音したＬｃｈ信号が出力されるＬｃｈ信号接点、４８は４１Ｒで集音したＲｃｈ信号が出力されるＲｃｈ信号接点、４９はアース（ＧＮＤ）接点である。
【００５３】
まず、図１に示した音声記録装置の外部マイクロホンジャック１に図３に示したモノラルマイクロホンのφ３．５ｍｍ２極モノラルピンプラグ３６が接続された場合、ブレイク接点スイッチ４とＬｃｈ接点２は離れる。従って、Ｌｃｈ接点２のＤＣ電位はほぼＶｏに近い値となる。
【００５４】
またＲｃｈ接点３は、φ３．５ｍｍ２極モノラルピンプラグ３６のアース（ＧＮＤ）接点３８を介してＧＮＤレベル電位に落ちる。従って、Ｒｃｈ接点３のＤＣ電位はＧＮＤレベル電位となる。図２に示した真理値表の２３の状態がこの場合に当たる。
【００５５】
このとき、外部マイクロホン接続ステータス判定手段１０は、モノラルマイクロホンが接続されていると判定する。従って、外部マイクロホン接続ステータス判定手段１０は、モノラル外部マイクロホン用の切替信号ＩＯを内蔵マイクロホン／外部マイクロホン選択スイッチ１２に供給する。
【００５６】
これにより、外部マイクロホン接続ステータス判定手段１０は、内蔵マイクロホン／外部マイクロホン選択スイッチ１２に対して外部マイクロホンジャック１からのモノラルマイクロホンの音声信号が音声信号処理回路１４に伝わるように内蔵マイクロホン／外部マイクロホン選択スイッチ１２を切換えさせる。
【００５７】
そして、外部マイクロホン接続ステータス判定手段１０は、モノラル音声信号用の切替信号ＳＭを音声信号処理回路１４に供給する。これにより、外部マイクロホン接続ステータス判定手段１０は、音声信号処理回路１４に対してモノラル信号を取り扱うのに適切な信号処理を選択させる。
【００５８】
次に、図１に示した音声記録装置の外部マイクロホンジャック１に図４に示したステレオマイクロホンのφ３．５ｍｍ２極ステレオピンプラグ４６が接続された場合、ブレイク接点スイッチ４とＬｃｈ接点２は離れる。従って、Ｌｃｈ接点２のＤＣ電位はほぼＶｏに近い値となる。また、Ｒｃｈ接点３のＤＣ電位もほぼＶｏに近い値となる。図２の真理値表の２４の状態がこの場合に当たる。
【００５９】
このとき、外部マイクロホン接続ステータス判定手段１０は、ステレオマイクロホンが接続されていると判定する。従って、外部マイクロホン接続ステータス判定手段１０は、ステレオ外部マイクロホン用の切替信号ＩＯを内蔵マイクロホン／外部マイクロホン選択スイッチ１２に供給する。
【００６０】
これにより、外部マイクロホン接続ステータス判定手段１０は、内蔵マイクロホン／外部マイクロホン選択スイッチ１２に対して外部マイクロホンジャック１からのステレオ外部マイクロホン音声信号が音声信号処理回路１４に伝わるように内蔵マイクロホン／外部マイクロホン選択スイッチ１２を切換えさせる。
【００６１】
そして、外部マイクロホン接続ステータス判定手段１０は、ステレオ音声信号用の切替信号ＳＭを音声信号処理回路１４に供給する。これにより、外部マイクロホン接続ステータス判定手段１０は、音声信号処理回路１４に対しステレオ信号を取り扱うのに適切な信号処理を選択させる。
【００６２】
次に、図１に示した音声記録装置の外部マイクロホンジャック１に何も接続されていない場合、Ｌｃｈ接点２はブレイク接点スイッチ４と接している。従って、Ｌｃｈ接点２のＤＣ電位はＧＮＤレベル電位であり、Ｒｃｈ接点３は接点がオープンになっているのでＤＣ電位はＶｏそのものである。図２の２２の状態がこの場合に当たる。
【００６３】
このとき、外部マイクロホン接続ステータス判定手段１０は、外部マイクロホンジャック１に何も接続されていないと判定する。従って、外部マイクロホン接続ステータス判定手段１０は、本体内蔵マイクロホン１１用の切替信号ＩＯを内蔵マイクロホン／外部マイクロホン選択スイッチ１２に供給する。
【００６４】
これにより、外部マイクロホン接続ステータス判定手段１０は、内蔵マイクロホン／外部マイクロホン選択スイッチ１２に対して本体内蔵マイクロホン１１からの音声信号が後段に伝わるように内蔵マイクロホン／外部マイクロホン選択スイッチ１２を切換えさせる。
【００６５】
そして、外部マイクロホン接続ステータス判定手段１０は、本体内蔵マイクロホン１１からのステレオ音声信号用の切替信号ＳＭを音声信号処理回路１４に供給する。これにより、外部マイクロホン接続ステータス判定手段１０は、音声信号処理回路１４に対して本体内蔵マイクロホン１１からのステレオ音声信号を取り扱うのに適切な信号処理を選択させる。
【００６６】
図５に、図１に示した音声記録装置の外部マイクロホンジャック１に接続して使用可能なφ３．５ｍｍステレオピンプラグを持つ他のステレオマイクロホンの概略回路図とプラグの外観図を示す。
【００６７】
図５において、５１Ｌ、５１ＲはそれぞれＬｃｈ信号集音用、Ｒｃｈ信号集音用の音圧を静電容量の変化として取り出すエレクトレットコンデンサである。５２Ｌ，５２Ｒは容量変化を電圧変化として取り出すためのＦＥＴ、５３Ｌ，５３ＲはＦＥＴ５２Ｌ，５２Ｒの動作電圧である。
【００６８】
５４Ｌ，５４ＲはＦＥＴ５２Ｌ，５２Ｒの出力電圧を昇圧して出力するトランス、５５Ｌ，５５ＲはＤＣ成分をカットして音声信号成分のみを伝えるカップリングコンデンサである。５６はφ３．５ｍｍ２極ステレオピンプラグである。５７は５１Ｌで集音したＬｃｈ信号が出力されるＬｃｈ信号接点、５８は５１Ｒで集音したＲｃｈ信号が出力されるＲｃｈ信号接点、５９はアース（ＧＮＤ）接点である。
【００６９】
市販されているマイクロホンの中には、特に高Ｓ／Ｎ（Signal to Noise ratio）を狙った高級タイプのものを中心として、図５に示すように出力段が図４に示したバッファ４４Ｌ，４４Ｒではなく、トランス５４Ｌ，５４Ｒで構成されているものが多い。この場合、直流的にはＬｃｈ信号接点５７、Ｒｃｈ信号接点５８はＧＮＤレベル電位に落ちている。
【００７０】
従って、図５に示すようなマイクロホンが図１に示した音声記録装置の外部マイクロホンジャック１に接続された場合、Ｌｃｈ接点２のＤＣ電位、Ｒｃｈ接点３のＤＣ電位ともにＧＮＤレベル電位となる。図２の２１の状態がこの場合に当たる。
【００７１】
このとき、外部マイクロホン接続ステータス判定手段１０は、外部マイクロホンジャック１にステレオマイクロホンが接続されていると判定する。従って、外部マイクロホン接続ステータス判定手段１０は、ステレオ外部マイクロホン用の切替信号ＩＯを内蔵マイクロホン／外部マイクロホン選択スイッチ１２に供給する。
【００７２】
これにより、外部マイクロホン接続ステータス判定手段１０は、内蔵マイクロホン／外部マイクロホン選択スイッチ１２に対して、外部マイクロホンジャック１からのステレオ外部マイクロホン音声信号が音声信号処理回路１４に伝わるように内蔵マイクロホン／外部マイクロホン選択スイッチ１２を切換えさせる。
【００７３】
そして、外部マイクロホン接続ステータス判定手段１０は、ステレオ音声信号用の切替信号ＳＭを音声信号処理回路１４に供給する。これにより、外部マイクロホン接続ステータス判定手段１０は、音声信号処理回路１４に対しステレオ信号を取り扱うのに適切な信号処理を選択させる。
【００７４】
上述した図３〜図５に示すマイクロホンは、以下に示す図６〜図９に示す本実施の形態のマイクロホンにおいてマイクロホンユニット６１Ｌ、６１Ｒ、７１Ｌ、７１Ｒ、８１Ｌ、８１Ｒ、９１Ｌ、９１Ｒとして構成されるものである。
【００７５】
図６に、本実施の形態のマイクロホン装置の構成例を示す。
図６において、６１ＬはＬｃｈマイクロホンユニット、６１ＲはＲｃｈマイクユニットである。６５はφ３．５ｍｍステレオピンプラグ、６６はそのＬｃｈ信号接点、６７はＲｃｈ信号接点、６８はアース（ＧＮＤ）接点である。
【００７６】
ここで、６３は、可動接点ＣをＬｃｈマイクロホンユニット６１Ｌの音声信号を出力可能な状態にする（固定接点Ａ側に切換える）か、あるいはアース（ＧＮＤ）に接地する（固定接点Ｂ側に切換える）かを選択可能にするスイッチである。
【００７７】
６４は、スイッチ６３に対する選択切替を制御するスイッチ制御手段である。スイッチ制御手段６４からのスイッチ６３に対する選択切替の制御により、スイッチ６３の可動接点Ｃ  をアース（ＧＮＤ）に接地するための実現方法は、ここでは特に限定するものではない。
【００７８】
すなわち、手動操作により動作する物理的なメカスイッチであっても良く、また、動作電圧の供給により動作する半導体スイッチであっても良い。また、Ｒｃｈ信号接点６７の開放端抵抗値は、図１に示したプラグインパワー用電圧印加回路６のプルアップ抵抗器８の抵抗値に対して十分に大きいものとする。
【００７９】
まず、図６に示すようなマイクロホンのφ３．５ｍｍステレオピンプラグ６５を図１に示した音声記録装置の外部マイクロホンジャック１に接続した場合に、スイッチ制御手段６４からの選択切替の制御によりスイッチ６３の可動接点Ｃを固定接点Ａ側に切換える。スイッチ６３の可動接点Ｃを固定接点Ａ側に切換えると、Ｌｃｈマイクロホンユニット６１Ｌの音声信号を出力可能な状態にすることができる。
【００８０】
このとき、図１に示した音声記録装置の外部マイクロホンジャック１において図６に示すマイクロホンのφ３．５ｍｍステレオピンプラグ６５が接続されると、ブレイク接点スイッチ４とＬｃｈ接点２は離れる。従って、Ｌｃｈ接点２のＤＣ電位はほぼＶｏに近い値となる。
【００８１】
また、Ｒｃｈ接点３のＤＣ電位もほぼＶｏに近い値となる。このとき、図１に示した外部マイクロホン接続ステータス判定手段１０は、図２の真理値表の２４の状態を検出し、ステレオマイクロホンが接続されたと判定する。
従って、外部マイクロホン接続ステータス判定手段１０は、ステレオ外部マイクロホン用の切替信号ＩＯを内蔵マイクロホン／外部マイクロホン選択スイッチ１２に供給する。
【００８２】
これにより、外部マイクロホン接続ステータス判定手段１０は、内蔵マイクロホン／外部マイクロホン選択スイッチ１２に対して外部マイクロホンジャック１からのステレオ外部マイクロホン音声信号が音声信号処理回路１４に伝わるように内蔵マイクロホン／外部マイクロホン選択スイッチ１２を切換えさせる。
【００８３】
そして、外部マイクロホン接続ステータス判定手段１０は、ステレオ音声信号用の切替信号ＳＭを音声信号処理回路１４に供給する。これにより、外部マイクロホン接続ステータス判定手段１０は、音声信号処理回路１４に対しステレオ信号を取り扱うのに適切な信号処理を選択させる。
【００８４】
次に、図６に示すようなマイクロホンのφ３．５ｍｍステレオピンプラグ６５を図１に示した音声記録装置の外部マイクロホンジャック１に接続した場合において、スイッチ制御手段６４からの選択切替の制御によりスイッチ６３の可動接点Ｃを固定接点Ｂ側に切換える。スイッチ６３の可動接点Ｃを固定接点Ｂ側に切換えると、Ｌｃｈマイクロホンユニット６１Ｌの音声信号をアース（ＧＮＤ）に接地することにより、ローレベル（Ｌｏｗ）状態に固定することができる。
【００８５】
このとき、図１に示した音声記録装置の外部マイクロホンジャック１において図６に示すマイクロホンのφ３．５ｍｍステレオピンプラグ６５が接続されると、ブレイク接点スイッチ４とＬｃｈ接点２は離れる。しかし、マイクロホン側でＬｃｈマイクロホンユニット６１Ｌの音声信号をアース（ＧＮＤ）に接地することにより、ローレベル（Ｌｏｗ）状態に固定されているため、Ｌｃｈ接点２のＤＣ電位はローレベル（Ｌｏｗ）となる。
【００８６】
また、Ｒｃｈ接点３のＤＣ電位はほぼＶｏに近い値となる。従って、図１に示した外部マイクロホン接続ステータス判定手段１０は、図２の真理値表の２２の状態を検出し、マイクロホンが接続されていないと判定する。
【００８７】
このとき、外部マイクロホン接続ステータス判定手段１０は、本体内蔵マイクロホン１１用の切替信号ＩＯを内蔵マイクロホン／外部マイクロホン選択スイッチ１２に供給する。
これにより、外部マイクロホン接続ステータス判定手段１０は、内蔵マイクロホン／外部マイクロホン選択スイッチ１２に対して本体内蔵マイクロホン１１からの音声信号が後段に伝わるように内蔵マイクロホン／外部マイクロホン選択スイッチ１２を切換えさせる。
【００８８】
そして、外部マイクロホン接続ステータス判定手段１０は、本体内蔵マイクロホン１１からのステレオ音声信号用の切替信号ＳＭを音声信号処理回路１４に供給する。これにより、外部マイクロホン接続ステータス判定手段１０は、音声信号処理回路１４に対して本体内蔵マイクロホン１１からのステレオ音声信号を取り扱うのに適切な信号処理を選択させる。
【００８９】
音声信号処理回路１４は、本体内蔵マイクロホン１１からの入力音声信号に対してステレオ音声信号用の音声信号処理を施して、図示しない後段の音声信号記録回路に出力する。この音声信号記録回路は、図示しない記録媒体に本体内蔵マイクロホン１１からの音声信号を記録することができる。
【００９０】
上述したように、図１に示した音声記録装置の外部マイクロホンジャック１に接続可能なマイクロホンの出力接点として、ＪＥＩＴＡ  ＲＣ６７０１Ａ規格に準拠したφ３．５ｍｍステレオピンプラグ６５を装備し、マイクロホン内部でそのステレオピンプラグ６５のＬｃｈ信号接点６６を、Ｌｃｈマイクロホンユニット６１Ｌからの音声信号を出力可能な状態にするか、あるいはアース（ＧＮＤ）電位に固定するかを選択するスイッチ６３及びスイッチ制御手段６４を設けるようにする。
【００９１】
これにより、外部マイクロホンを音声記録装置に接続した状態であっても、外部マイクロホン側の音声信号出力のスイッチ制御手段６４からのスイッチ６３に対する選択的切替の制御により、音声記録装置側に外部マイクロホンが未接続であると認識させ、本体内蔵マイクロホンの音声信号を出力するように切替制御をさせることができる。
従って、外部マイクロホン側で音声信号の出力ができない状態である場合に、強制的に、音声記録装置側で本体内蔵マイクロホンの音声信号を記録させるようにすることができる。
【００９２】
図７に、本実施の形態の他のマイクロホン装置の構成例を示す。
図７において、７１ＬはＬｃｈマイクロホンユニット、７１ＲはＲｃｈマイクユニットである。７５はφ３．５ｍｍステレオピンプラグ、７６はそのＬｃｈ信号接点、７７はＲｃｈ信号接点、７８はアース（ＧＮＤ）接点である。
【００９３】
ここで、７３は、可動接点ＣをＬｃｈマイクロホンユニット７１Ｌの音声信号を出力可能な状態にする（固定接点Ａ側に切換える）か、あるいはアース（ＧＮＤ）に接地する（固定接点Ｂ側に切換える）かを選択可能にするスイッチである。
【００９４】
７４は、スイッチ７３に対する選択切替を制御するためにマイクロホンの電源スイッチ位置を検出する電源スイッチポジション検出手段である。電源スイッチポジション検出手段７４からのスイッチ７３に対する選択切替の制御により、スイッチ７３の可動接点Ｃ  をアース（ＧＮＤ）に接地するための実現方法は、ここではマイクロホンの電源スイッチの操作位置の検出動作に応じてなされる。
【００９５】
すなわち、電源スイッチポジション検出手段７４は、マイクロホンの電源スイッチの操作位置がオンであることを検出したとき、スイッチ７３の可動接点Ｃを固定接点Ａ側に切換えるようにスイッチ７３に対する選択切替の制御を行う。
【００９６】
また、電源スイッチポジション検出手段７４は、マイクロホンの電源スイッチの操作位置がオフであることを検出したとき、スイッチ７３の可動接点Ｃを固定接点Ｂ側に切換えるようにスイッチ７３に対する選択切替の制御を行う。
また、Ｒｃｈ信号接点７７の開放端抵抗値は、図１に示したプラグインパワー用電圧印加回路６のプルアップ抵抗器８の抵抗値に対して十分に大きいものとする。
【００９７】
まず、図７に示すようなマイクロホンのφ３．５ｍｍステレオピンプラグ７５を図１に示した音声記録装置の外部マイクロホンジャック１に接続した場合に、電源スイッチポジション検出手段７４は、マイクロホンの電源スイッチの操作位置がオンであることを検出したとき、電源スイッチポジション検出手段７４からの選択切替の制御によりスイッチ７３の可動接点Ｃを固定接点Ａ側に切換える。スイッチ７３の可動接点Ｃを固定接点Ａ側に切換えると、Ｌｃｈマイクロホンユニット７１Ｌの音声信号を出力可能な状態にすることができる。
【００９８】
このとき、図１に示した音声記録装置の外部マイクロホンジャック１において図７に示すマイクロホンのφ３．５ｍｍステレオピンプラグ７５が接続されると、ブレイク接点スイッチ４とＬｃｈ接点２は離れる。従って、Ｌｃｈ接点２のＤＣ電位はほぼＶｏに近い値となる。
【００９９】
また、Ｒｃｈ接点３のＤＣ電位もほぼＶｏに近い値となる。このとき、図１に示した外部マイクロホン接続ステータス判定手段１０は、図２の真理値表の２４の状態を検出し、ステレオマイクロホンが接続されたと判定する。
従って、外部マイクロホン接続ステータス判定手段１０は、ステレオ外部マイクロホン用の切替信号ＩＯを内蔵マイクロホン／外部マイクロホン選択スイッチ１２に供給する。
【０１００】
これにより、外部マイクロホン接続ステータス判定手段１０は、内蔵マイクロホン／外部マイクロホン選択スイッチ１２に対して外部マイクロホンジャック１からのステレオ外部マイクロホン音声信号が音声信号処理回路１４に伝わるように内蔵マイクロホン／外部マイクロホン選択スイッチ１２を切換えさせる。
【０１０１】
そして、外部マイクロホン接続ステータス判定手段１０は、ステレオ音声信号用の切替信号ＳＭを音声信号処理回路１４に供給する。これにより、外部マイクロホン接続ステータス判定手段１０は、音声信号処理回路１４に対しステレオ信号を取り扱うのに適切な信号処理を選択させる。
【０１０２】
次に、図７に示すようなマイクロホンのφ３．５ｍｍステレオピンプラグ７５を図１に示した音声記録装置の外部マイクロホンジャック１に接続した場合において、電源スイッチポジション検出手段７４は、マイクロホンの電源スイッチの操作位置がオフであることを検出したとき、電源スイッチポジション検出手段７４からの選択切替の制御によりスイッチ７３の可動接点Ｃを固定接点Ｂ側に切換える。
【０１０３】
スイッチ７３の可動接点Ｃを固定接点Ｂ側に切換えると、Ｌｃｈマイクロホンユニット７１Ｌの音声信号をアース（ＧＮＤ）に接地することにより、ローレベル（Ｌｏｗ）状態に固定することができる。
【０１０４】
このとき、図１に示した音声記録装置の外部マイクロホンジャック１において図７に示すマイクロホンのφ３．５ｍｍステレオピンプラグ７５が接続されると、ブレイク接点スイッチ４とＬｃｈ接点２は離れる。しかし、マイクロホン側でＬｃｈマイクロホンユニット７１Ｌの音声信号をアース（ＧＮＤ）に接地することにより、ローレベル（Ｌｏｗ）状態に固定されているため、Ｌｃｈ接点２のＤＣ電位はローレベル（Ｌｏｗ）となる。
【０１０５】
また、Ｒｃｈ接点３のＤＣ電位はほぼＶｏに近い値となる。従って、図１に示した外部マイクロホン接続ステータス判定手段１０は、図２の真理値表の２２の状態を検出し、マイクロホンが接続されていないと判定する。
このとき、外部マイクロホン接続ステータス判定手段１０は、本体内蔵マイクロホン１１用の切替信号ＩＯを内蔵マイクロホン／外部マイクロホン選択スイッチ１２に供給する。
【０１０６】
これにより、外部マイクロホン接続ステータス判定手段１０は、内蔵マイクロホン／外部マイクロホン選択スイッチ１２に対して本体内蔵マイクロホン１１からの音声信号が後段に伝わるように内蔵マイクロホン／外部マイクロホン選択スイッチ１２を切換えさせる。
【０１０７】
そして、外部マイクロホン接続ステータス判定手段１０は、本体内蔵マイクロホン１１からのステレオ音声信号用の切替信号ＳＭを音声信号処理回路１４に供給する。これにより、外部マイクロホン接続ステータス判定手段１０は、音声信号処理回路１４に対して本体内蔵マイクロホン１１からのステレオ音声信号を取り扱うのに適切な信号処理を選択させる。
【０１０８】
音声信号処理回路１４は、本体内蔵マイクロホン１１からの入力音声信号に対してステレオ音声信号用の音声信号処理を施して、図示しない後段の音声信号記録回路に出力する。この音声信号記録回路は、図示しない記録媒体に本体内蔵マイクロホン１１からの音声信号を記録することができる。
【０１０９】
上述したように、図１に示した音声記録装置の外部マイクロホンジャック１に接続可能なマイクロホンの出力接点として、ＪＥＩＴＡ  ＲＣ６７０１Ａ規格に準拠したφ３．５ｍｍステレオピンプラグ７５を装備し、マイクロホン内部でマイクロホンの電源スイッチの操作位置の検出動作に応じてそのステレオピンプラグ７５のＬｃｈ信号接点７６を、Ｌｃｈマイクロホンユニット７１Ｌからの音声信号を出力可能な状態にするか、あるいはアース（ＧＮＤ）電位に固定するかを選択するスイッチ７３及び電源スイッチポジション検出手段７４を設けるようにする。
【０１１０】
これにより、外部マイクロホンを音声記録装置に接続した状態であっても、外部マイクロホン側の音声信号出力の電源スイッチポジション検出手段７４からのスイッチ７３に対する選択的切替の制御により、音声記録装置側に外部マイクロホンが未接続であると認識させ、本体内蔵マイクロホンの音声信号を出力するように切替制御をさせることができる。
【０１１１】
これにより、外部マイクロホンの電源スイッチの操作位置がオフであることを検出したとき、外部マイクロホン側で音声信号の出力ができない状態であることを検出し、強制的に、音声記録装置側で本体内蔵マイクロホンの音声信号を記録させるようにすることができる。
【０１１２】
上述した図７に、マイクロホンの電源スイッチがオン状態の場合にスイッチ７３の可動接点Ｃを固定接点Ａ側に切換え、マイクロホンの電源スイッチがオフ状態の場合にスイッチ７３の可動接点Ｃを固定接点Ｂ側に切換えるための動作を実現するシステム構成例としてスイッチ７３及び電源スイッチポジション検出手段７４を示した。
【０１１３】
ここで、どのような具体的方法によって、マイクロホンの電源スイッチのポジションを電源スイッチポジション検出手段７４がスイッチ７３の切換え動作に結びつけるかは任意であり、ここでは特に限定するものではない。ここでは、マイクロホンの電源スイッチがオフの状態である場合に、Ｌｃｈ信号接点７６をアース（ＧＮＤ）電位に固定する機能を持つようにすればよい。
【０１１４】
すなわち、マイクロホンの電源スイッチのポジションとメカ的に連動させて電源スイッチポジション検出手段７４がスイッチ７３の切換えを行なうようにしても良いし、また、マイクロホンの電源スイッチのポジションの変化に基づく電位の変化に対応させて電源スイッチポジション検出手段７４がスイッチ７３の切換えを行なうようにしても良い。
【０１１５】
これにより、図１の音声記録装置において外部マイクロホン接続ステータス判定手段１０は、外部マイクロホンが接続されていない場合には自動的に本体内蔵マイクロホンの音声信号を出力するように音声信号処理を切換える。このため、外部マイクロホンの電源スイッチがオフの場合には、外部マイクロホン接続ステータス判定手段１０が、図２の２２の状態を検出し、マイクロホンが接続されていないと結論付けることになる。
【０１１６】
従って、音声記録装置において内蔵マイクロホンの音声信号が記録されることになり、誤って外部マイクロホンの電源スイッチをオフにしていた場合に、何も音声が記録されないという事故を防ぐことができる。
【０１１７】
図８に、本実施の形態の他のマイクロホン装置の構成例を示す。
図８において、８１ＬはＬｃｈマイクロホンユニット、８１ＲはＲｃｈマイクユニットである。８５はφ３．５ｍｍステレオピンプラグ、８６はそのＬｃｈ信号接点、８７はＲｃｈ信号接点、８８はアース（ＧＮＤ）接点である。
【０１１８】
ここで、８３は、可動接点ＣをＬｃｈマイクロホンユニット８１Ｌの音声信号を出力可能な状態にする（固定接点Ａ側に切換える）か、あるいはアース（ＧＮＤ）に接地する（固定接点Ｂ側に切換える）かを選択可能にするスイッチである。
【０１１９】
８４は、スイッチ８３に対する選択切替を制御するためにマイクロホンの駆動用電源である電池のホルダへの挿入又は未挿入を判定する電池の挿入／未挿入判定手段である。電池の挿入／未挿入判定手段８４からのスイッチ８３に対する選択切替の制御により、スイッチ８３の可動接点Ｃ  をアース（ＧＮＤ）に接地するための実現方法は、ここではマイクロホンの駆動用電源である電池のホルダへの挿入又は未挿入の判定動作に応じてなされる。
【０１２０】
すなわち、電池の挿入／未挿入判定手段８４は、マイクロホンの駆動用電源である電池がホルダへ挿入されたと判定したとき、スイッチ８３の可動接点Ｃを固定接点Ａ側に切換えるようにスイッチ８３に対する選択切替の制御を行う。
【０１２１】
また、電池の挿入／未挿入判定手段８４は、マイクロホンの駆動用電源である電池がホルダへ挿入されていないと判定したとき、スイッチ８３の可動接点Ｃを固定接点Ｂ側に切換えるようにスイッチ８３に対する選択切替の制御を行う。
また、Ｒｃｈ信号接点８７の開放端抵抗値は、図１に示したプラグインパワー用電圧印加回路６のプルアップ抵抗器８の抵抗値に対して十分に大きいものとする。
【０１２２】
まず、図８に示すようなマイクロホンのφ３．５ｍｍステレオピンプラグ８５を図１に示した音声記録装置の外部マイクロホンジャック１に接続した場合に、電池の挿入／未挿入判定手段８４は、マイクロホンの駆動用電源である電池がホルダへ挿入されたと判定したとき、電池の挿入／未挿入判定手段８４からの選択切替の制御によりスイッチ８３の可動接点Ｃを固定接点Ａ側に切換える。スイッチ８３の可動接点Ｃを固定接点Ａ側に切換えると、Ｌｃｈマイクロホンユニット８１Ｌの音声信号を出力可能な状態にすることができる。
【０１２３】
このとき、図１に示した音声記録装置の外部マイクロホンジャック１において図８に示すマイクロホンのφ３．５ｍｍステレオピンプラグ８５が接続されると、ブレイク接点スイッチ４とＬｃｈ接点２は離れる。従って、Ｌｃｈ接点２のＤＣ電位はほぼＶｏに近い値となる。また、Ｒｃｈ接点３のＤＣ電位もほぼＶｏに近い値となる。
【０１２４】
このとき、図１に示した外部マイクロホン接続ステータス判定手段１０は、図２の真理値表の２４の状態を検出し、ステレオマイクロホンが接続されたと判定する。
従って、外部マイクロホン接続ステータス判定手段１０は、ステレオ外部マイクロホン用の切替信号ＩＯを内蔵マイクロホン／外部マイクロホン選択スイッチ１２に供給する。
【０１２５】
これにより、外部マイクロホン接続ステータス判定手段１０は、内蔵マイクロホン／外部マイクロホン選択スイッチ１２に対して外部マイクロホンジャック１からのステレオ外部マイクロホン音声信号が音声信号処理回路１４に伝わるように内蔵マイクロホン／外部マイクロホン選択スイッチ１２を切換えさせる。
【０１２６】
そして、外部マイクロホン接続ステータス判定手段１０は、ステレオ音声信号用の切替信号ＳＭを音声信号処理回路１４に供給する。これにより、外部マイクロホン接続ステータス判定手段１０は、音声信号処理回路１４に対しステレオ信号を取り扱うのに適切な信号処理を選択させる。
【０１２７】
次に、図８に示すようなマイクロホンのφ３．５ｍｍステレオピンプラグ８５を図１に示した音声記録装置の外部マイクロホンジャック１に接続した場合において、電池の挿入／未挿入判定手段８４は、マイクロホンの駆動用電源である電池がホルダへ挿入されていないと判定したとき、電池の挿入／未挿入判定手段８４からの選択切替の制御によりスイッチ８３の可動接点Ｃを固定接点Ｂ側に切換える。
【０１２８】
スイッチ８３の可動接点Ｃを固定接点Ｂ側に切換えると、Ｌｃｈマイクロホンユニット８１Ｌの音声信号をアース（ＧＮＤ）に接地することにより、ローレベル（Ｌｏｗ）状態に固定することができる。
【０１２９】
このとき、図１に示した音声記録装置の外部マイクロホンジャック１において図８に示すマイクロホンのφ３．５ｍｍステレオピンプラグ８５が接続されると、ブレイク接点スイッチ４とＬｃｈ接点２は離れる。しかし、マイクロホン側でＬｃｈマイクロホンユニット８１Ｌの音声信号をアース（ＧＮＤ）に接地することにより、ローレベル（Ｌｏｗ）状態に固定されているため、Ｌｃｈ接点２のＤＣ電位はローレベル（Ｌｏｗ）となる。
【０１３０】
また、Ｒｃｈ接点３のＤＣ電位はほぼＶｏに近い値となる。従って、図１に示した外部マイクロホン接続ステータス判定手段１０は、図２の真理値表の２２の状態を検出し、マイクロホンが接続されていないと判定する。
このとき、外部マイクロホン接続ステータス判定手段１０は、本体内蔵マイクロホン１１用の切替信号ＩＯを内蔵マイクロホン／外部マイクロホン選択スイッチ１２に供給する。
【０１３１】
これにより、外部マイクロホン接続ステータス判定手段１０は、内蔵マイクロホン／外部マイクロホン選択スイッチ１２に対して本体内蔵マイクロホン１１からの音声信号が後段に伝わるように内蔵マイクロホン／外部マイクロホン選択スイッチ１２を切換えさせる。
【０１３２】
そして、外部マイクロホン接続ステータス判定手段１０は、本体内蔵マイクロホン１１からのステレオ音声信号用の切替信号ＳＭを音声信号処理回路１４に供給する。これにより、外部マイクロホン接続ステータス判定手段１０は、音声信号処理回路１４に対して本体内蔵マイクロホン１１からのステレオ音声信号を取り扱うのに適切な信号処理を選択させる。
【０１３３】
音声信号処理回路１４は、本体内蔵マイクロホン１１からの入力音声信号に対してステレオ音声信号用の音声信号処理を施して、図示しない後段の音声信号記録回路に出力する。この音声信号記録回路は、図示しない記録媒体に本体内蔵マイクロホン１１からの音声信号を記録することができる。
【０１３４】
上述したように、図１に示した音声記録装置の外部マイクロホンジャック１に接続可能なマイクロホンの出力接点として、ＪＥＩＴＡ  ＲＣ６７０１Ａ規格に準拠したφ３．５ｍｍステレオピンプラグ８５を装備し、マイクロホン内部でマイクロホンの駆動用電源である電池のホルダへの挿入又は未挿入の判定動作に応じてそのステレオピンプラグ８５のＬｃｈ信号接点８６を、Ｌｃｈマイクロホンユニット８１Ｌからの音声信号を出力可能な状態にするか、あるいはアース（ＧＮＤ）電位に固定するかを選択するスイッチ８３及び電池の挿入／未挿入判定手段８４を設けるようにする。
【０１３５】
これにより、外部マイクロホンを音声記録装置に接続した状態であっても、外部マイクロホン側の音声信号出力の電池の挿入／未挿入判定手段８４からのスイッチ８３に対する選択的切替の制御により、音声記録装置側に外部マイクロホンが未接続であると認識させ、本体内蔵マイクロホンの音声信号を出力するように切替制御をさせることができる。
【０１３６】
これにより、外部マイクロホンの駆動用電源である電池がホルダへ挿入されていないことを検出したとき、外部マイクロホン側で音声信号の出力ができない状態であることを検出し、強制的に、音声記録装置側で本体内蔵マイクロホンの音声信号を記録させるようにすることができる。
【０１３７】
上述した図８に、マイクロホンの駆動用電源である電池がホルダへ挿入されている場合にスイッチ８３の可動接点Ｃを固定接点Ａ側に切換え、電池がホルダへ挿入されていない場合にスイッチ８３の可動接点Ｃを固定接点Ｂ側に切換えるための動作を実現するシステム構成例としてスイッチ８３及び電池の挿入／未挿入判定手段８４を示した。
【０１３８】
ここで、電池の挿入／未挿入判定手段８４が具体的にどのような方法で電池のホルダへの挿入／未挿入を判別し、またそれをスイッチ８３の切換え動作に結びつけるかは任意であり、ここでは特に限定するものではない。ここでは、マイクロホンの駆動用電池がホルダに入っていない状態である場合に、Ｌｃｈ信号接点をアース（ＧＮＤ）電位に固定する機能を持つようにすればよい。
【０１３９】
すなわち、マイクロホンの駆動用電源である電池がホルダへ挿入されたときにメカ的に連動させて電池の挿入／未挿入判定手段８４がスイッチ８３の切換えを行なうようにしても良いし、また、マイクロホンの駆動用電源である電池がホルダへ挿入されたことを電気的、磁気的又は超音波振動による反射型又は透過型のセンサ出力に対応させて電池の挿入／未挿入判定手段８４がスイッチ８３の切換えを行なうようにしても良い。
【０１４０】
これにより、図１の音声記録装置において外部マイクロホンが接続されていない場合には外部マイクロホン接続ステータス判定手段１０は、自動的に本体内蔵マイクロホンの音声信号を出力するように音声信号処理を切換える。このため、マイクロホンの駆動用電池がホルダへ挿入されていない場合には、外部マイクロホン接続ステータス判定手段１０が、図２の２２の状態を検出し、マイクロホンが接続されていないと結論付けることになる。
【０１４１】
従って、音声記録装置において内蔵マイクロホンの音声信号が記録されることになり、誤って外部マイクロホンの駆動用電源である電池をホルダへ入れ忘れた場合に、何も音声が記録されないという事故を防ぐことができる。
【０１４２】
図９に、本実施の形態の他のマイクロホン装置の構成例を示す。
図９において、９１ＬはＬｃｈマイクロホンユニット、９１ＲはＲｃｈマイクユニットである。９５はφ３．５ｍｍステレオピンプラグ、９６はそのＬｃｈ信号接点、９７はＲｃｈ信号接点、９８はアース（ＧＮＤ）接点である。
【０１４３】
ここで、９３は、可動接点ＣをＬｃｈマイクロホンユニット８１Ｌの音声信号を出力可能な状態にする（固定接点Ａ側に切換える）か、あるいはアース（ＧＮＤ）に接地する（固定接点Ｂ側に切換える）かを選択可能にするスイッチである。
【０１４４】
９４は、スイッチ９３に対する選択切替を制御するためにマイクロホンの駆動用電源である電池の端子電圧を検出する電池の端子電圧検出手段である。電池の端子電圧検出手段９４からのスイッチ９３に対する選択切替の制御により、スイッチ９３の可動接点Ｃ  をアース（ＧＮＤ）に接地するための実現方法は、ここではマイクロホンの駆動用電源である電池の端子電圧の基準値に対する検出動作に応じてなされる。
【０１４５】
すなわち、電池の端子電圧検出手段９４は、マイクロホンの駆動用電源である電池の端子電圧が基準値以上であることを検出したとき、スイッチ９３の可動接点Ｃを固定接点Ａ側に切換えるようにスイッチ９３に対する選択切替の制御を行う。
【０１４６】
また、電池の端子電圧検出手段９４は、マイクロホンの駆動用電源である電池の端子電圧が基準値以下であることを検出したとき、スイッチ９３の可動接点Ｃを固定接点Ｂ側に切換えるようにスイッチ９３に対する選択切替の制御を行う。
また、Ｒｃｈ信号接点９７の開放端抵抗値は、図１に示したプラグインパワー用電圧印加回路６のプルアップ抵抗器８の抵抗値に対して十分に大きいものとする。
【０１４７】
まず、図９に示すようなマイクロホンのφ３．５ｍｍステレオピンプラグ９５を図１に示した音声記録装置の外部マイクロホンジャック１に接続した場合に、電池の端子電圧検出手段９４は、マイクロホンの駆動用電源である電池の端子電圧が基準値以上であることを検出したとき、電池の端子電圧検出手段９４からの選択切替の制御によりスイッチ９３の可動接点Ｃを固定接点Ａ側に切換える。スイッチ９３の可動接点Ｃを固定接点Ａ側に切換えると、Ｌｃｈマイクロホンユニット９１Ｌの音声信号を出力可能な状態にすることができる。
【０１４８】
このとき、図１に示した音声記録装置の外部マイクロホンジャック１において図９に示すマイクロホンのφ３．５ｍｍステレオピンプラグ９５が接続されると、ブレイク接点スイッチ４とＬｃｈ接点２は離れる。従って、Ｌｃｈ接点２のＤＣ電位はほぼＶｏに近い値となる。また、Ｒｃｈ接点３のＤＣ電位もほぼＶｏに近い値となる。
【０１４９】
このとき、図１に示した外部マイクロホン接続ステータス判定手段１０は、図２の真理値表の２４の状態を検出し、ステレオマイクロホンが接続されたと判定する。
従って、外部マイクロホン接続ステータス判定手段１０は、ステレオ外部マイクロホン用の切替信号ＩＯを内蔵マイクロホン／外部マイクロホン選択スイッチ１２に供給する。
【０１５０】
これにより、外部マイクロホン接続ステータス判定手段１０は、内蔵マイクロホン／外部マイクロホン選択スイッチ１２に対して外部マイクロホンジャック１からのステレオ外部マイクロホン音声信号が音声信号処理回路１４に伝わるように内蔵マイクロホン／外部マイクロホン選択スイッチ１２を切換えさせる。
【０１５１】
そして、外部マイクロホン接続ステータス判定手段１０は、ステレオ音声信号用の切替信号ＳＭを音声信号処理回路１４に供給する。これにより、外部マイクロホン接続ステータス判定手段１０は、音声信号処理回路１４に対しステレオ信号を取り扱うのに適切な信号処理を選択させる。
【０１５２】
次に、図９に示すようなマイクロホンのφ３．５ｍｍステレオピンプラグ９５を図１に示した音声記録装置の外部マイクロホンジャック１に接続した場合において、電池の端子電圧検出手段９４は、マイクロホンの駆動用電源である電池の端子電圧が基準値以下であることを検出したとき、電池の端子電圧検出手段９４からの選択切替の制御によりスイッチ９３の可動接点Ｃを固定接点Ｂ側に切換える。
【０１５３】
スイッチ９３の可動接点Ｃを固定接点Ｂ側に切換えると、Ｌｃｈマイクロホンユニット９１Ｌの音声信号をアース（ＧＮＤ）に接地することにより、ローレベル（Ｌｏｗ）状態に固定することができる。
【０１５４】
このとき、図１に示した音声記録装置の外部マイクロホンジャック１において図９に示すマイクロホンのφ３．５ｍｍステレオピンプラグ９５が接続されると、ブレイク接点スイッチ４とＬｃｈ接点２は離れる。しかし、マイクロホン側でＬｃｈマイクロホンユニット９１Ｌの音声信号をアース（ＧＮＤ）に接地することにより、ローレベル（Ｌｏｗ）状態に固定されているため、Ｌｃｈ接点２のＤＣ電位はローレベル（Ｌｏｗ）となる。
【０１５５】
また、Ｒｃｈ接点３のＤＣ電位はほぼＶｏに近い値となる。従って、図１に示した外部マイクロホン接続ステータス判定手段１０は、図２の真理値表の２２の状態を検出し、マイクロホンが接続されていないと判定する。
このとき、外部マイクロホン接続ステータス判定手段１０は、本体内蔵マイクロホン１１用の切替信号ＩＯを内蔵マイクロホン／外部マイクロホン選択スイッチ１２に供給する。
【０１５６】
これにより、外部マイクロホン接続ステータス判定手段１０は、内蔵マイクロホン／外部マイクロホン選択スイッチ１２に対して本体内蔵マイクロホン１１からの音声信号が後段に伝わるようにスイッチを切換えさせる。
【０１５７】
そして、外部マイクロホン接続ステータス判定手段１０は、本体内蔵マイクロホン１１からのステレオ音声信号用の切替信号ＳＭを音声信号処理回路１４に供給する。これにより、外部マイクロホン接続ステータス判定手段１０は、音声信号処理回路１４に対して本体内蔵マイクロホン１１からのステレオ音声信号を取り扱うのに適切な信号処理を選択させる。
【０１５８】
音声信号処理回路１４は、本体内蔵マイクロホン１１からの入力音声信号に対してステレオ音声信号用の音声信号処理を施して、図示しない後段の音声信号記録回路に出力する。この音声信号記録回路は、図示しない記録媒体に本体内蔵マイクロホン１１からの音声信号を記録することができる。
【０１５９】
上述したように、図１に示した音声記録装置の外部マイクロホンジャック１に接続可能なマイクロホンの出力接点として、ＪＥＩＴＡ  ＲＣ６７０１Ａ規格に準拠したφ３．５ｍｍステレオピンプラグ９５を装備し、マイクロホン内部でマイクロホンの駆動用電源である電池の端子電圧の基準値に対する検出動作に応じてそのステレオピンプラグ９５のＬｃｈ信号接点９６を、Ｌｃｈマイクロホンユニット９１Ｌからの音声信号を出力可能な状態にするか、あるいはアース（ＧＮＤ）電位に固定するかを選択するスイッチ９３及び電池の端子電圧検出手段９４を設けるようにする。
【０１６０】
これにより、外部マイクロホンを音声記録装置に接続した状態であっても、外部マイクロホン側の音声信号出力の電池の端子電圧検出手段９４からのスイッチ９３に対する選択的切替の制御により、音声記録装置側に外部マイクロホンが未接続であると認識させ、本体内蔵マイクロホンの音声信号を出力するように切替制御をさせることができる。
【０１６１】
これにより、外部マイクロホンの駆動用電源である電池の端子電圧が基準値以下であることを検出したとき、外部マイクロホン側で音声信号の出力ができない状態であることを検出し、強制的に、音声記録装置側で本体内蔵マイクロホンの音声信号を記録させるようにすることができる。
【０１６２】
上述した図９に、マイクロホンに挿入されている電池の端子電圧がある一定値である基準値よりも高い場合にスイッチ９３の可動接点Ｃを固定接点Ａ側に切換え、電池の端子電圧がある一定値である基準値よりも低い場合にスイッチ９３の可動接点Ｃを固定接点Ｂ側に切換えるための動作を実現するシステム構成例としてスイッチ９３及び電池の端子電圧検出手段９４を示した。
【０１６３】
ここで、どのような具体的方法によって電池の端子電圧検出手段９４が電池の端子電圧を判別し、またそれをスイッチ９３の切換え動作に結びつけるかは任意であり、ここでは特に限定するものではない。ここでは、マイクロホンの駆動用電池の端子電圧がある一定電圧以下である場合に、Ｌｃｈ信号接点をアース（ＧＮＤ）電位に固定する機能を持つようにすればよい。
すなわち、マイクロホンの駆動用電源である電池の端子電圧と基準値との比較出力に連動させて電池の端子電圧検出手段９４がスイッチ９３の切換えを行なうようにしても良い。
【０１６４】
これにより、図１の音声記録装置において外部マイクロホンが接続されていない場合には外部マイクロホン接続ステータス判定手段１０は、自動的に本体内蔵マイクロホンの音声信号を出力するように音声信号処理を切換える。このため、マイクロホンの端子電圧がある一定値よりも低い場合には、外部マイクロホン接続ステータス判定手段１０が、図２の２２の状態を検出し、マイクロホンが接続されていないと結論付けることになる。
【０１６５】
従って、音声記録装置において内蔵マイクロホンの入力音声が記録されることになり、誤って消耗した電池を使った場合に、何も音声が記録されない、あるいは異状に小さい音声しか記録されないという事故を防ぐことができる。
【０１６６】
なお、上述した本実施の形態例に限らず、本発明の要旨を逸脱しない限り、適宜変更しうることは言うまでもない。
【図面の簡単な説明】
【０１６７】
【図１】本実施の形態例のマイクロホン装置に適用される音声記録装置の構成例を示す図である。
【図２】外部マイクロホン接続ステータス判定を示す真理値表を示す図である。
【図３】モノラルマイクロホンの概略回路図とプラグの外観図を示す図である。
【図４】ステレオマイクロホンの概略回路図とプラグの外観図を示す図である。
【図５】他のステレオマイクロホンの概略回路図とプラグの外観図を示す図である。
【図６】本実施の形態のマイクロホン装置の構成例を示す図である。
【図７】本実施の形態の他のマイクロホン装置の構成例を示す図である。
【図８】本実施の形態の他のマイクロホン装置の構成例を示す図である。
【図９】本実施の形態の他のマイクロホン装置の構成例を示す図である。
【符号の説明】
【０１６８】
１…外部マイクロホンジャック、２…Ｌｃｈ接点、３…Ｒｃｈ接点、４…ブレイク接点スイッチ、５…ＧＮＤ接点、６…プラグインパワー用電圧印加回路、７…直流電圧、８…抵抗器、９…コンデンサ、１０…外部マイクロホン接続ステータス判定手段、１１…本体内蔵マイクロホン、１２…内蔵マイクロホン／外部マイクロホン選択スイッチ、１３…マイクアンプ、１４…音声信号処理回路、６１Ｌ…Ｌｃｈマイクロホンユニット、６１Ｒ…Ｒｃｈマイクユニット、６２…動作電圧、６３…スイッチ、６４…スイッチ制御手段、６５…φ３．５ｍｍステレオピンプラグ、６６…Ｌｃｈ信号接点、６７…Ｒｃｈ信号接点、６８…アース（ＧＮＤ）接点、７１Ｌ…Ｌｃｈマイクロホンユニット、７１Ｒ…Ｒｃｈマイクユニット、７２…動作電圧、７３…スイッチ、７４…電源スイッチポジション検出手段、７５…φ３．５ｍｍステレオピンプラグ、７６…Ｌｃｈ信号接点、７７…Ｒｃｈ信号接点、７８…アース（ＧＮＤ）接点、８１Ｌ…Ｌｃｈマイクロホンユニット、８１Ｒ…Ｒｃｈマイクユニット、８２…動作電圧、８３…スイッチ、８４…電池の挿入／未挿入判定手段、８５…φ３．５ｍｍステレオピンプラグ、８６…Ｌｃｈ信号接点、８７…Ｒｃｈ信号接点、８８…アース（ＧＮＤ）接点、９１Ｌ…Ｌｃｈマイクロホンユニット、９１Ｒ…Ｒｃｈマイクユニット、９２…動作電圧、９３…スイッチ、９４…電池の端子電圧検出手段、９５…φ３．５ｍｍステレオピンプラグ、９６…Ｌｃｈ信号接点、９７…Ｒｃｈ信号接点、９８…アース（ＧＮＤ）接点
【図１】
2008182455.tif 000003
【図２】
2008182455.tif 000004
【図３】
2008182455.tif 000005
【図４】
2008182455.tif 000006
【図５】
2008182455.tif 000007
【図６】
2008182455.tif 000008
【図７】
2008182455.tif 000009
【図８】
2008182455.tif 000010
【図９】
2008182455.tif 000011